(57)【特許請求の範囲】
【請求項１】
接点が閉じられている複数の個別スイッチをこれら個別スイッチ間に張り渡したワイヤにより直列接続すると共にこのワイヤを各個別スイッチの接点開閉機構に掛け止めることにより、該接点開閉機構が前記ワイヤの張り渡し方向に倒れたときに個別スイッチの接点が開くように構成したプルコードスイッチにおいて、
前記ワイヤが引かれたことを検出するための検出素子を前記ワイヤに動作コイルが直列接続されたリレーで構成し、各個別スイッチの接点にその接点が開かれたことにより点灯する表示灯をそれぞれ並列接続し、前記接点が閉じられているとき前記ワイヤに流れる電流で前記リレーが保持され、前記接点が開いて前記表示灯が点灯したときワイヤに流れる電流が前記リレーの保持電流を下回ることによって前記リレーが遮断されて前記ワイヤが引かれたことが検出されるようにしたことを特徴とするプルコードスイッチ。
【請求項２】
前記表示灯を発光ダイオードで構成したことを特徴とする請求項１記載のプルコードスイッチ。
【請求項３】
前記表示灯が点灯したとき前記ワイヤに流れる電流が該リレーの保持電流を下回るよう、前記表示灯と直列に付加抵抗を設けたことを特徴とする請求項１又は２記載のプルコードスイッチ。
【発明の詳細な説明】
【０００１】
【発明の属する技術分野】
本発明は、長尺ワイヤ中に複数のスイッチを挿入したプルコードスイッチに係り、特に、異常発生箇所が迅速に発見できるプルコードスイッチに関するものである。
【０００２】
【従来の技術】
例えば、土砂・鉱石運搬用等の搬送用のコンベアは、数百ｍ或いは１Ｋｍ以上に長さを有する。このような長大な機械設備には、異常時に非常停止させるために、プルコードスイッチが使用される。プルコードスイッチは、図４に示されるように、常時は接点（図示せず）が閉じられているノーマルクローズ式のスイッチ（以下、個別スイッチという）１を、個別スイッチ１間に張り渡したワイヤ４により直列接続すると共に、このワイヤ４を各個別スイッチ１の接点開閉機構（図５参照）に掛け止め、一方、このワイヤ４の一端には、ワイヤ４が引かれたことを検出する検出素子５としてワイヤ４に流れる電流により保持されるリレー５ａを設けたものである。ワイヤ４は、機械設備４１を囲むように張り巡らされ、個別スイッチ１は、例えば５０ｍ間隔で設けられる。
【０００３】
個別スイッチは、図５に示されるように、支点５１の周りに回動される棒状の接点開閉機構５２を有し、この接点開閉機構５２が回動することによって図示されない接点が開閉されるようになっている。個別スイッチは、図５（ａ）に示されるように、接点開閉機構５２がワイヤ４の張り渡し方向に対し大きな角度を有するときに接点を閉じ、図５（ｂ）に示されるように、接点開閉機構５２がワイヤ４の張り渡し方向に倒れたときに接点を開くように設ける。
【０００４】
ワイヤ４の両端にはリレー５ａの定格動作電圧である電圧Ｅが印加される。この印加電圧Ｅは、例えば直流であるが、交流であってもよい。
【０００５】
さて、上記のプルコードスイッチにおいて、ワイヤ４の両端には電圧Ｅが印加され、正常時であれば各個別スイッチ１の接点は全て閉じられているため、リレー５ａの動作コイルには電圧Ｅが印加される。即ち、リレー５ａは保持される。従って、このリレー５ａの接点を警報器に接続し、警報器はリレー５ａが保持されているとき警報オフ（正常）の論理になるよう構成しておけばよい。機械設備４１の点検修理等で停止させる場合や、異常発生時に非常停止させる場合、ワイヤ４を引くと、最寄りの個別スイッチ１において接点開閉機構５２が回動され、これにより個別スイッチ１の接点が開かれる。リレー５ａの動作コイルには電圧が印加されなくなり、リレー５ａは遮断される。このため警報器では警報オン（異常）の論理が検出され、機械設備４１が非常停止されると共に、監視員に対して警報が出されることになる。
【０００６】
【発明が解決しようとする課題】
ところで、上記プルコードスイッチにあっては、全個別スイッチ１が直列接続されているため、いずれか１つの個別スイッチ１の接点が開かれると検出素子５が作動して警報器により異常が検出されるが、どの個別スイッチ１において異常が起きたかは警報器からは不明である。そこで、従来技術では、各個別スイッチ１にフラグが付加されている。図５に示されるように、フラグ５３は、棒の先端に平面板を設けた構造のものであり、接点開閉機構５２と連動して回動するよう個別スイッチ１に取り付けられている。正常時は平面板が目立たないようにフラグ５３が倒置されており、ワイヤ４が引かれたときには接点開閉機構５２の回動に伴いフラグ５３が起立されて平面板が目立つ位置に出現する。従って、警報を受けて現場確認に赴く監視員は、このフラグ５３を視認することによって、異常発生箇所を発見することができる。
【０００７】
しかしながら、個別スイッチ１が例えば５０ｍという広い間隔で設けられているため、監視員にとって、２０ｃｍ程度の大きさのフラグ５３が出ているかどうかは見分けにくく、しかも、接点は見えないので、フラグ５３がどこまで起立したら個別スイッチ１が作動状態なのか判定しにくい。このため、迅速な現場確認ができず、コンベアの稼働効率をいたずらに低下させてしまう。
【０００８】
また、プルコードスイッチにあっては、ワイヤ４が長尺に張られているため、温度差によるワイヤ４の膨張収縮で感度が変わることがあり、点検や調整が必要となる。例えば、機械設備の運転開始時に個別スイッチ１が作動状態のままになっていると運転が開始できないので、監視員が点検して作動状態の個別スイッチ１を非作動状態に戻す必要がある。しかし、このときに、個別スイッチ１が作動状態か非作動状態かは、フラグ５３の起立角度からは判定しにくい。同様の理由で、どの程度ワイヤ４が引かれると異常が検出されるのかを現場で調整するときにも、その結果が判りにくい。
【０００９】
そこで、本発明の目的は、上記課題を解決し、異常発生箇所が迅速に発見できるプルコードスイッチを提供することにある。
【００１０】
【課題を解決するための手段】
上記目的を達成するために本発明は、接点が閉じられている複数の個別スイッチをこれら個別スイッチ間に張り渡したワイヤにより直列接続すると共にこのワイヤを各個別スイッチの接点開閉機構に掛け止めることにより、該接点開閉機構が前記ワイヤの張り渡し方向に倒れたときに個別スイッチの接点が開くように構成したプルコードスイッチにおいて、前記ワイヤが引かれたことを検出するための検出素子を前記ワイヤに動作コイルが直列接続されたリレーで構成し、各個別スイッチの接点にその接点が開かれたことにより点灯する表示灯をそれぞれ並列接続し、前記接点が閉じられているとき前記ワイヤに流れる電流で前記リレーが保持され、前記接点が開いて前記表示灯が点灯したときワイヤに流れる電流が前記リレーの保持電流を下回ることによって前記リレーが遮断されて前記ワイヤが引かれたことが検出されるようにしたものである。
【００１１】
前記表示灯を発光ダイオードで構成してもよい。
【００１２】
前記表示灯が点灯したとき前記ワイヤに流れる電流が該リレーの保持電流を下回るよう、前記表示灯と直列に付加抵抗を設けてもよい。
【００１３】
【発明の実施の形態】
以下、本発明の一実施形態を添付図面に基づいて詳述する。
【００１４】
図１に示されるように、本発明のプルコードスイッチは、各個別スイッチ１の接点２にその接点２が開かれたことにより点灯する表示灯３をそれぞれ並列接続し、この表示灯３が点灯したときワイヤ４に流れる電流により検出素子５であるリレー５ａが作動するように構成したものである。ここでは、表示灯３は、高輝度ＬＥＤ等の発光ダイオードで構成された発光ダイオード灯であり、６は、発光ダイオードに直列に挿入された電流制限のための付加抵抗である。即ち、図１のプルコードスイッチは、個別スイッチ１の接点２が開かれたとき、表示灯３の発光ダイオードを点灯させる定格電流かそれ以下の電流で、かつリレー５ａの動作コイルの保持電流を下回る電流がワイヤ４に流れるように構成したものである。プルコードスイッチは、従来技術と同様に図４のごとく設置される。
【００１５】
ワイヤ４の両端にはリレーの定格動作電圧である電圧Ｅが印加される。ここでは印加電圧Ｅは直流であるが、交流であってもよい。
【００１６】
さて、上記のプルコードスイッチにおいて、ワイヤ４の両端には電圧Ｅが印加され、平常時であれば各個別スイッチ１の接点２は全て閉じられているため、リレー５ａの動作コイルには電圧Ｅが印加される。即ち、リレー５ａは保持される。従って、このリレー５ａの接点（図示せず）を警報器（図示せず）に接続し、警報器はリレー５ａが保持されているとき警報オフの論理になるよう構成しておけばよい。このとき、各個別スイッチ１に対応する表示灯３には電圧が印加されないので、いずれの表示灯３も点灯しない。機械設備の点検修理等で停止させる場合や、異常発生時に非常停止させる場合、ワイヤ４を引くと、最寄りの個別スイッチ１において接点開閉機構５２が回動され、これにより個別スイッチ１の接点２が開かれる。この個別スイッチ１に対応する表示灯３には電圧が印加され、ワイヤ４を介して表示灯３に電流が流れることになる。ワイヤ４に流れる電流は、付加抵抗６とリレー５ａの動作コイルの内部抵抗との直列抵抗で決まる。この電流は、表示灯３の発光ダイオードを十分な明るさで発光させ、かつ発光ダイオードにとって過剰でない電流である。また、この電流は、リレー５ａの動作コイルの保持電流には満たない電流である。従って、リレー５ａは遮断される。このため警報器では警報オンの論理が検出され、機械設備が非常停止されると共に、監視員に対して警報が出されることになる。
【００１７】
警報を受けて現場確認に赴く監視員は、点灯している表示灯３を見付ければよいので、従来のフラグよりも簡単に見付けることができる。従って、異常発生箇所が迅速に発見できることになる。点検や調整の際にも、個別スイッチ１が作動状態か非作動状態かが表示灯３によって直ちに判定できる。
【００１８】
表示灯３としては白熱灯、発光ダイオード灯などがあるが、検出素子５としてリレー５ａを用いる図１の形態では、発光ダイオード灯を用いると動作の安定性がよい。発光ダイオード灯は、単体の発光ダイオードから構成してもよいが、複数の発光ダイオードを集合したアレイで構成してもよい。
【００１９】
図２に示されるように、複数の発光ダイオード２１を直列接続することにより、総合の発光光量を大きくすると同時に順方向電圧降下を大きくすることができる。発光光量が大きくなるほど、明るい環境下でも遠距離からでも視認が容易になる。また、順方向電圧降下が大きくなるほど、電流制限抵抗は小さくでき、十分な順方向電圧降下があれば付加抵抗６をなくしてリレー５ａの動作コイルの内部抵抗のみで電流を制限することが可能である。
【００２０】
検出素子５には、電磁式のリレー５ａに限らず、半導体リレー、論理ゲート等のスイッチング素子を用いることができる。
【００２１】
個別スイッチ１は、図５に示した従来技術と同様に、支点５１の周りに回動される接点開閉機構５２を有し、この接点開閉機構５２が回動することによって図示されない接点が開閉されるようになっている。しかし、表示灯３は、フラグのように個別スイッチ１と機構的に一体化する必要はない。従って、図３に示されるように、表示灯３を個別スイッチ１の近辺の見易い位置に設置し、個別スイッチ１の接点とはリード線３１を介して電気的に接続するようにしてもよい。図３に示された表示灯３は、複数の発光ダイオードを平面又は立体表面に並べて構成したアレイである。
【００２２】
【発明の効果】
本発明は次の如き優れた効果を発揮する。
【００２３】
（１）個別スイッチの接点が開かれたことにより表示灯が点灯するので、従来のフラグに比べて視認が容易になる。
【００２４】
（２）従来のプルコードスイッチが既に設置されている場合、表示灯を付加するだけで容易に実施できる。
【００２５】
（３）個別スイッチはフラグを支持しなくてよいので、個別スイッチの小型化・軽量化が期待できる。
【００２６】
（４）表示灯は個別スイッチに電気的に接続されておればよいので、任意の見易い位置に置くことができる。
【図面の簡単な説明】
【図１】本発明の一実施形態を示すプルコードスイッチの回路図である。
【図２】本発明の一実施形態を示す個別スイッチの回路図である。
【図３】本発明の一実施形態を示す表示灯の外観図である。
【図４】プルコードスイッチの設置状態を示す平面図である。
【図５】従来の個別スイッチの構造図である。
【符号の説明】
１  個別スイッチ
２  接点
３  表示灯
４  ワイヤ
５  検出素子
【図１】
0004090126.tif 000002
【図２】
0004090126.tif 000003
【図３】
0004090126.tif 000004
【図４】
0004090126.tif 000005
【図５】
0004090126.tif 000006